(57)【要約】【課題】  扉の着脱が容易で、かつ扉の開操作後の自動扉閉じ機能を有する収納ボックスを提供する。【解決手段】  機器を収納するための収納ボックス１００は、箱体１と、箱体１の前面に設けられた開閉扉２と、箱体１の端部と開閉扉２の端部に跨って設けられ、かつ軸部を介して分割されている抜き差し丁番３と、開閉扉２の端部に設けられ、かつ所定のトルクを発生するばね丁番４と、箱体１の端部にばね丁番４と関連付けられて設けられたスライドレール部５とを有し、ばね丁番４のトルクにより開閉扉２を自動的に閉じるように構成すると共に、抜き差し丁番３とばね丁番４とスライドレール部５とを使用して開閉扉２を箱体１に着脱自在に構成した。【選択図】  図１
2008231710.tif 000002
【特許請求の範囲】
【請求項１】
機器を収納するための収納ボックスであって、
箱体と、
箱体の前面に設けられた開閉扉と、
箱体の端部と開閉扉の端部に跨って設けられ、かつ軸部を介して分割されている抜き差し丁番と、
開閉扉の端部に設けられ、かつ所定のトルクを発生するばね丁番と、
箱体の端部にばね丁番と関連付けられて設けられたスライドレール部とを有し、
ばね丁番のトルクにより開閉扉を自動的に閉じるように構成すると共に、抜き差し丁番とばね丁番とスライドレール部とを使用して開閉扉を箱体に着脱自在に構成したことを特徴とする収納ボックス。
【請求項２】
前記ばね丁番はスライド部を有し、前記スライドレール部はスライドレール板とスライドレール板の上端に設けられた抜け止め部とを有し、
前記スライド部を、前記スライドレール板上を前記抜け止め部に沿ってスライド自在に構成したことを特徴とする請求項１に記載の収納ボックス。
【請求項３】
前記開閉扉が閉じようとしている状態では、前記トルクが掛かっている前記スライド部が前記スライドレール板上をスライドすることを特徴とする請求項２に記載の収納ボックス。
【請求項４】
前記開閉扉が閉じた状態では、前記トルクを介して前記スライド部が前記スライドレール板上に固定されることを特徴とする請求項２に記載の収納ボックス。
【請求項５】
前記開閉扉を前記箱体から外す場合には、前記スライド部を前方に引き寄せ浮き上がらせて前記抜け止め部を超えさせた状態で前記スライド部を上方に持ち上げ、かつ前記抜き差し丁番を前記軸部を介して分離させることを特徴とする請求項２に記載の収納ボックス。
【請求項６】
前記スライド部の前方への引き寄せは、前記スライド部に前記トルクが掛からないようにするために行われることを特徴とする請求項５に記載の収納ボックス。
【請求項７】
前記開閉扉を前記箱体から外した状態では、前記抜き差し丁番の前記軸部を介して分離された一方の構成部材と、前記スライドレール部とが前記箱体の端部に残されることを特徴とする請求項２に記載の収納ボックス。
【請求項８】
前記抜き差し丁番は、前記箱体の上下の端部に一対設けられており、
前記ばね丁番と前記スライドレール部とは、前記開閉扉及び前記箱体の中央部付近にそれぞれ設けられていることを特徴とする請求項１に記載の収納ボックス。
【発明の詳細な説明】
【技術分野】
【０００１】
本発明は、外設端末等の機器を収納するための収納ボックスに関する。
【背景技術】
【０００２】
最近、ガソリンスタンド等において給油等の決済を屋外で行うことが一般的に行われている。このような状況の下、台風や豪雪等の天候の影響により、外設端末を故障に至らしめる環境に対応する必要がある。その手法として、機器前面に雨雪をさえぎるべく覆い（カバー）を設置することにより、問題に対応できることになる。
【０００３】
しかしながら、逆に好天時はこれらの覆いが操作上邪魔になり、取り去ることによって、その利便性が格段に上がるが、自動で閉じるような機能を有するものはその仕組みが複雑であり、簡単な着脱が困難である。
【０００４】
そこで、従来、ガソリンスタンド向けの防雨雪対応として、機器前面部に雨雪除け用の扉を配して対処している。好天時にはこの扉が操作上邪魔になるため簡単に取り去れる必要が発生し、抜き差し丁番（丁番）等により対応をしてきた。
【０００５】
ただし、抜き差し丁番だけでは自動で閉じることが出来ないため、所謂セルフサービススタンドでの使用が出来ず、オペレータが介在するフルサービススタンドでのみの使用に限られてしまう。
【０００６】
また、自動で閉じる扉は丁番部に閉トルクが発生するような仕組み（スプリングを仕込む等）を維持するため、着脱の機能を有することが容易ではなく、この「容易な着脱」と「自動に閉じる」ことを同時に併せ持つ機能とするには、各々の機構を有した仕組み同士を組み合わせる必要が出てくるか、あるいは、非常に大型で高価なものを扉の外形に合わせて構成しなければならないという問題がある。
【０００７】
これに関連する従来技術として、特開平９−７８９３０号公報（特許文献１）には、開口枠に対するドアの組付けをワンタッチで、しかも１人の作業者でも容易に行いうる丁番が開示されている。また、特開２００６−１１８２６４号公報（特許文献２）には、扉を躯体に容易に取り付けることができ、しかも扉を回動付勢することができるヒンジ装置が開示されている。
【０００８】
【特許文献１】特開平９−７８９３０号公報
【特許文献２】特開２００６−１１８２６４号公報
【発明の開示】
【発明が解決しようとする課題】
【０００９】
そこで、本発明は、上記従来技術の問題点に鑑みて成されたものであり、その目的は、扉の着脱が容易で、かつ扉の開操作後の自動扉閉じ機能を有する収納ボックスを提供することにある。
【課題を解決するための手段】
【００１０】
上記目的を達成するために、本発明では、機器を収納するための収納ボックスであって、箱体と、箱体の前面に設けられた開閉扉と、箱体の端部と開閉扉の端部に跨って設けられ、かつ軸部を介して分割されている抜き差し丁番と、開閉扉の端部に設けられ、かつ所定のトルクを発生するばね丁番と、箱体の端部にばね丁番と関連付けられて設けられたスライドレール部とを有し、ばね丁番のトルクにより開閉扉を自動的に閉じるように構成すると共に、抜き差し丁番とばね丁番とスライドレール部とを使用して開閉扉を箱体に着脱自在に構成したことを特徴とする。
【００１１】
好ましくは、前記ばね丁番はスライド部を有し、前記スライドレール部はスライドレール板とスライドレール板の上端に設けられた抜け止め部とを有し、前記スライド部を、前記スライドレール板上を前記抜け止め部に沿ってスライド自在に構成する。
【００１２】
ここで、前記開閉扉が閉じようとしている状態では、前記トルクが掛かっている前記スライド部が前記スライドレール板上をスライドする。
【００１３】
また、前記開閉扉が閉じた状態では、前記トルクを介して前記スライド部が前記スライドレール板上に固定される。
【００１４】
前記開閉扉を前記箱体から外す場合には、前記スライド部を前方に引き寄せ浮き上がらせて前記抜け止め部を超えさせた状態で前記スライド部を上方に持ち上げ、かつ前記抜き差し丁番を前記軸部を介して分離させる。ここで、前記スライド部の前方への引き寄せは、前記スライド部に前記トルクが掛からないようにするために行われる。
【００１５】
前記開閉扉を前記箱体から外した状態では、前記抜き差し丁番の前記軸部を介して分離された一方の構成部材と、前記スライドレール部とが前記箱体の端部に残される。
【００１６】
好ましくは、前記抜き差し丁番は、前記箱体の上下の端部に一対設けられており、前記ばね丁番と前記スライドレール部とは、前記開閉扉及び前記箱体の中央部付近にそれぞれ設けられている。
【００１７】
上述のように、本発明は、例えば、ガソリンスタンド向け外設機の防雨雪用として、不要時の開閉扉の「容易な着脱」機能と開閉扉の「自動的閉じ」機能とを併せ持つことを特徴とする。
【発明の効果】
【００１８】
本発明によれば、扉の着脱が容易で、かつ扉の開操作後の自動扉閉じ機能を有する収納ボックスを提供することができる。
【００１９】
より具体的には、（１）防雨雪トビラ要不要時の扉の着脱が容易となり、（２）セルフサービス向けとして、扉の開操作後の自動閉じ機能を、安価で簡単な仕組みで実現することができる。
【発明を実施するための最良の形態】
【００２０】
以下、本発明の実施の形態について図面を参照して詳細に説明する。
【００２１】
（収納ボックスの構成）
まず、本発明の収納ボックスの構成を図１を参照して説明する。
【００２２】
外設端末等の機器（図示せず）を収納するための収納ボックス１００は、箱体１の前面に設けられた開閉扉２と、箱体１の端部と開閉扉２の端部とに跨って設けられた抜き差し丁番３と、開閉扉２の端部に設けられかつ所定のトルクを発生するばね丁番４と、箱体１の端部に設けられたスライドレール部５とを有する。
【００２３】
ここで、抜き差し丁番３は、箱体１の上下の端部に一対設けられている。また、ばね丁番４は開閉扉２の中央部付近に設けられ、スライドレール部５は箱体１の中央部付近に設けられている。
【００２４】
このような構成の下、ばね丁番４のトルクを利用して開閉扉２は自動的に閉じるように成っている。また、抜き差し丁番３とばね丁番４とスライドレール部５とにより、開閉扉２は箱体１に着脱自在に成っている。
【００２５】
次に、抜き差し丁番３の構成を図２を参照して説明する。
【００２６】
図２に示すように、抜き差し丁番３は、軸部３１と、軸部３１が挿入される軸挿入部３２と、軸部３１を介して分割された一対のプレート３３，３４から成り、一対のプレート３３，３４が軸部３１及び軸挿入部３２を介して抜き差し自在に構成されている。そして、プレート３３は開閉扉２の端部にねじ等により取り付けられており、プレート３４は箱体１の端部にねじ等により取り付けられている。
【００２７】
次に、ばね丁番４とスライドレール部５の構成を図３を参照して説明する。
【００２８】
図３に示すように、ばね丁番４は、軸部４１と、スライド部４２とプレート４３及びプレート４４とから成る。プレート４４は開閉扉２の端部にねじ等により取り付けられている。スライド部４２はプレート４３にねじ等により取り付けられている。また、スライドレール部５は、スライドレール板５２とスライドレール板５２の上端に設けられた抜け止め部５１とから成る。
【００２９】
このような構成の下、ばね丁番４のスライド部４２は、スライドレール部５のスライドレール板５２上を抜け止め部５１に沿ってスライドする。
【００３０】
（収納ボックスの開閉扉の動作）
次に、本発明の収納ボックス１００の動作を図を用いて説明する。
【００３１】
まず、図１、図２及び図３を参照して、開閉扉２が閉じた状態について説明する。
【００３２】
開閉扉２が閉じた状態では、抜き差し丁番３の軸部３１は軸挿入部３２に挿入され、プレート３３は開閉扉２にねじ等により取り付けられ、プレート３４は箱体１にねじ等により取り付けられる。
【００３３】
また、ばね丁番４のスライド部４２は、トルク（矢印Ａ方向）を介してスライドレール部５のスライドレール板５２上に固定される。このような構成の下、ばね丁番４のトルクにより、常に開閉扉２が閉じようとする力が働く。
【００３４】
次に、図２、図４及び図６を参照して、開閉扉２が閉じようとしている状態について説明する。
【００３５】
開閉扉２が閉じようとしている状態では、抜き差し丁番３のプレート３３が軸部３１を中心として回転する。また、トルクが掛かっているばね丁番４のスライド部４２がスライドレール部５のスライドレール板５２上をスライドする。
【００３６】
このようにして、図６に示すように、開閉扉２がばね丁番４のトルクの作用により、矢印Ｂ方向に自動的に閉じる。
【００３７】
次に、図２、図５及び図７を参照して、開閉扉２を箱体１から取り外す状態について説明する。
【００３８】
開閉扉２を箱体１から取り外す場合には、ばね丁番４のスライド部４２を前方に引き寄せ浮き上がらせてスライドレール部５の抜け止め部５１を超えさせた状態でスライド部４２を上方に持ち上げる。そして、抜き差し丁番３の軸部３１を軸挿入部３２から取り外す。
【００３９】
このようにして、開閉扉２を図７の矢印Ｃ方向に持ち上げると、開閉扉２が箱体１から取り外せる。ここで、図５に示すように、ばね丁番４のスライド部４２を前方へ引き寄せることにより、スライド部４２にトルクが掛からないようにする。
【００４０】
そして、図７に示すように、開閉扉２を箱体１から外した状態では、抜き差し丁番３のプレート３４とスライドレール部５とが箱体１の端部に残され、抜き差し丁番３のプレート３３とばね丁番４とが開閉扉４の端部に残された状態になる。
【００４１】
このような動作を行うことにより、本発明の収納ボックス１００は、不要時の開閉扉２の「容易な着脱」機能と開閉扉２の「自動的閉じ」機能とを併せ持つことが可能になる。
【産業上の利用可能性】
【００４２】
本発明は、着脱が必要でかつ自動的に閉じるような開閉扉を有する収納ボックス全般に適用可能である。
【図面の簡単な説明】
【００４３】
【図１】開閉扉が閉じた状態の収納ボックスを示す外観図である。
【図２】抜き差し丁番の詳細な構成を示す図である。
【図３】ばね丁番とスライドレール部の詳細な構成を示す図であり、開閉扉が閉じた状態を示す図である。
【図４】ばね丁番とスライドレール部の詳細な構成を示す図であり、開閉扉が閉じようとしている状態を示す図である。
【図５】ばね丁番とスライドレール部の詳細な構成を示す図であり、開閉扉を取り外そうとしている状態を示す図である。
【図６】開閉扉が閉じようとしている状態を説明するための図である。
【図７】開閉扉を箱体から取り外す状態を説明するための図である。
【符号の説明】
【００４４】
１  箱体
２  開閉扉
３  抜き差し丁番
４  ばね丁番
５  スライドレール部
３１  軸部
３２  軸挿入部
３３  プレート
３４  プレート
４１  軸部
４２  スライド部
４３  プレート
４４  プレート
５１  抜け止め部
５２  スライドレール板
１００  収納ボックス
【図１】
2008231710.tif 000003
【図２】
2008231710.tif 000004
【図３】
2008231710.tif 000005
【図４】
2008231710.tif 000006
【図５】
2008231710.tif 000007
【図６】
2008231710.tif 000008
【図７】
2008231710.tif 000009